(57)【要約】【課題】移動通信端末機に分散して記録された多様なイベントを収集し、前記収集されたイベントをタイムライン上に表示することにより、イベントを容易に確認及び管理できる移動通信端末機のイベント表示装置及びその方法を提供することにある。【解決手段】移動通信端末機のイベント表示装置は、移動通信端末機内のイベントを検出するイベント検出器と、移動通信端末機の表示部にタイムラインを表示し、前記検出されたイベントを前記タイムライン上に位置させるイベント制御器とから構成される。【選択図】図１
2007082190.tif 000002
【特許請求の範囲】
【請求項１】
イベントを検出するイベント検出器と、
移動通信端末機の表示部にタイムラインを表示し、前記検出されたイベントを前記タイムライン上に位置させるイベント制御器と
を含むことを特徴とする移動通信端末機のイベント表示装置。
【請求項２】
イベントを検出するイベント検出器と、
前記検出されたイベントを収集するイベント収集器と、
移動通信端末機の表示部にタイムラインを表示し、前記収集されたイベントを前記タイムライン上に位置させるイベント制御器と
を含むことを特徴とする移動通信端末機のイベント表示装置。
【請求項３】
前記イベント制御器は、
前記収集されたイベントに対応するアイコンを前記表示部に表示することを特徴とする請求項２に記載の移動通信端末機のイベント表示装置。
【請求項４】
前記イベント制御器は、
前記アイコンを前記タイムライン上に位置させることを特徴とする請求項３に記載の移動通信端末機のイベント表示装置。
【請求項５】
前記イベント制御器は、
時間が経過するにつれて前記表示部に表示された各イベントの位置を変更することを特徴とする請求項２に記載の移動通信端末機のイベント表示装置。
【請求項６】
前記イベント制御器は、
時間が経過するにつれて前記表示部に表示された各アイコンの各サイズを変更することを特徴とする請求項３に記載の移動通信端末機のイベント表示装置。
【請求項７】
前記イベント制御器は、
前記収集されたイベントを円状のタイムライン上、チャート状のタイムライン上、又は渦巻状のタイムライン上に表示することを特徴とする請求項２に記載の移動通信端末機のイベント表示装置。
【請求項８】
前記円状のタイムラインは、
現在の時間帯を示す第１円のタイムラインと、過去の時間帯を示す第２円のタイムラインと、未来の時間帯を示す第３円のタイムラインとを含むことを特徴とする請求項７に記載の移動通信端末機のイベント表示装置。
【請求項９】
前記第１、第２、第３円のサイズは、相異なることを特徴とする請求項８に記載の移動通信端末機のイベント表示装置。
【請求項１０】
前記イベント制御器は、
使用者により前記タイムラインの特定時間が選択されたとき、前記特定時間に使用者が要求したイベントを設定することを特徴とする請求項２に記載の移動通信端末機のイベント表示装置。
【請求項１１】
前記イベント制御器は、
使用者により前記タイムライン上に表示された特定イベントが選択されたとき、前記使用者の要求により前記選択された特定イベントを実行／変更することを特徴とする請求項２に記載の移動通信端末機のイベント表示装置。
【請求項１２】
前記イベント制御器は、
使用者により前記タイムライン上に表示された特定イベントが選択されたとき、前記選択された特定イベントの詳細情報を表示することを特徴とする請求項２に記載の移動通信端末機のイベント表示装置。
【請求項１３】
移動通信端末機内のイベントを検出する段階と、
前記検出されたイベントを前記移動通信端末機の画面に表示されたタイムライン上に位置させる段階と
を含むことを特徴とする移動通信端末機のイベント表示方法。
【請求項１４】
移動通信端末機内のイベントを検出する段階と、
前記検出されたイベントを収集する段階と、
前記収集されたイベントを前記移動通信端末機の画面に表示されたタイムライン上に位置させる段階と
を含むことを特徴とする移動通信端末機のイベント表示方法。
【請求項１５】
前記収集されたイベントを前記タイムライン上に位置させる段階は、
前記イベントを示すアイコンを前記タイムライン上に位置させる段階であることを特徴とする請求項１４に記載の移動通信端末機のイベント表示方法。
【請求項１６】
前記アイコンの位置は、
時間が経過するにつれて変化することを特徴とする請求項１５に記載の移動通信端末機のイベント表示方法。
【請求項１７】
前記タイムラインは、
円状のタイムライン、チャート状のタイムライン、渦巻状のタイムラインのうちいずれか１つであることを特徴とする請求項１４に記載の移動通信端末機のイベント表示方法。
【請求項１８】
前記タイムラインは、
現在の時間帯を示す第１タイムラインと、過去の時間帯を示す第２タイムラインと、未来の時間帯を示す第３タイムラインとを含むことを特徴とする請求項１４に記載の移動通信端末機のイベント表示方法。
【請求項１９】
使用者により前記タイムラインの特定時間が選択されたとき、前記特定時間に使用者が要求したイベントを設定する段階をさらに含むことを特徴とする請求項１４に記載の移動通信端末機のイベント表示方法。
【請求項２０】
移動通信端末機内のイベントを検出するイベント検出器と、
前記検出されたイベントを収集するイベント収集器と、
前記移動通信端末機の表示部にタイムラインを表示し、前記収集されたイベントに対応するアイコンを前記タイムライン上に位置させるイベント制御器とを含み、
ここで、前記タイムラインは、現在の時間帯を示す第１タイムラインと、過去の時間帯を示す第２タイムラインと、未来の時間帯を示す第３タイムラインとを含むことを特徴とする移動通信端末機のイベント表示装置。
【請求項２１】
前記イベント制御器は、
時間が経過するにつれて前記表示部に表示された各アイコンの各位置を変更することを特徴とする請求項２０に記載の移動通信端末機のイベント表示装置。
【請求項２２】
前記イベント制御器は、
前記収集されたイベントに対応するアイコンを円状のタイムライン上、チャート状のタイムライン上、又は渦巻状のタイムライン上に表示することを特徴とする請求項２０に記載の移動通信端末機のイベント表示装置。
【請求項２３】
前記イベント制御器は、
使用者により前記タイムラインの特定時間が選択されたとき、前記特定時間に使用者が要求したイベントを設定することを特徴とする請求項２０に記載の移動通信端末機のイベント表示装置。
【請求項２４】
移動通信端末機内のイベントを検出する段階と、
前記検出されたイベントを収集する段階と、
前記移動通信端末機の画面にタイムラインを表示し、前記収集されたイベントに対応するアイコンを前記タイムライン上に位置させる段階とを含み、
ここで、前記タイムラインは、現在の時間帯を示す第１タイムラインと、過去の時間帯を示す第２タイムラインと、未来の時間帯を示す第３タイムラインとを含むことを特徴とする移動通信端末機のイベント表示方法。
【請求項２５】
前記表示部に表示された各アイコンの位置は、
時間が経過するにつれて変化することを特徴とする請求項２４に記載の移動通信端末機のイベント表示方法。
【請求項２６】
前記タイムラインは、
円状のタイムライン、チャート状のタイムライン、渦巻状のタイムラインのうちいずれか１つであることを特徴とする請求項２４に記載の移動通信端末機のイベント表示方法。
【請求項２７】
使用者により前記タイムラインの特定時間が選択されたとき、前記特定時間に使用者が要求したイベントを設定する段階をさらに含むことを特徴とする請求項２４に記載の移動通信端末機のイベント表示方法。
【発明の詳細な説明】
【技術分野】
【０００１】
本発明は、移動通信端末機に関し、特に、移動通信端末機のイベント表示装置及びその方法に関する。
【背景技術】
【０００２】
従来技術に係る携帯電話、携帯情報端末（ｐｅｒｓｏｎａｌ  ｄｉｇｉｔａｌ  ａｓｓｉｓｔａｎｔ：  ＰＤＡ）のような移動通信端末機は、通話（Ｃａｌｌ）の着信／発信、不在着信（ａｂｓｅｎｔ  ｃａｌｌ）のようなイベントを発着信履歴（ｃａｌｌ  ｌｉｓｔ）に記録し、メールの受信／送信イベントをメールボックスに記録する。また、従来技術に係る移動通信端末機は、スケジュールイベントをスケジューラに記録し、アラーム（ａｌａｒｍ）／モーニングコール（ｗａｋｅ−ｕｐ  ｃａｌｌ）などのイベントをメニューに記録する。
【０００３】
しかしながら、従来技術に係る移動通信端末機は、前記多様なイベントを分散して記録するため、使用者が容易に多様なイベントを確認及び管理することが難しかった。
【０００４】
以上説明したように、従来技術に係る移動通信端末機のイベント表示方法は、前記多様なイベントを分散して記録するため、使用者は、多様なイベントを容易に確認及び管理することが困難であるという問題があった。
【発明の開示】
【発明が解決しようとする課題】
【０００５】
本発明の目的は、移動通信端末機に分散して記録された多様なイベントを収集（ｃｏｌｌｅｃｔ）し、前記収集されたイベントをタイムライン（ｔｉｍｅ  ｌｉｎｅ）上に表示することにより、イベントを容易に確認及び管理できる移動通信端末機のイベント表示装置及びその方法を提供することにある。
【０００６】
本発明の他の目的は、移動通信端末機に分散して記録された多様なイベントを収集し、前記収集されたイベントを過去、現在、未来のタイムライン上に表示することにより、過去、現在、未来のイベントを容易に確認及び管理できる移動通信端末機のイベント表示装置及びその方法を提供することにある。
【課題を解決するための手段】
【０００７】
このような目的を達成するための本発明に係る移動通信端末機のイベント表示装置は、イベントを検出するイベント検出器と、移動通信端末機の表示部にタイムラインを表示し、前記検出されたイベントを前記タイムライン上に位置させるイベント制御器とを含むことを特徴とする。
【０００８】
また、本発明に係る移動通信端末機のイベント表示装置は、イベントを検出するイベント検出器と、前記検出されたイベントを収集するイベント収集器と、移動通信端末機の表示部にタイムラインを表示し、前記収集されたイベントを前記タイムライン上に位置させるイベント制御器とを含むことを特徴とする。
【０００９】
また、本発明に係る移動通信端末機のイベント表示装置は、移動通信端末機内のイベントを検出するイベント検出器と、前記検出されたイベントを収集するイベント収集器と、移動通信端末機の表示部にタイムラインを表示し、前記収集されたイベントに対応するアイテムを前記タイムライン上に位置させるイベント制御器とを含み、前記タイムラインは、現在の時間帯を示す第１タイムラインと、過去の時間帯を示す第２タイムラインと、未来の時間帯を示す第３タイムラインとを含むことを特徴とする。
【００１０】
このような目的を達成するための本発明に係る移動通信端末機のイベント表示方法は、移動通信端末機内のイベントを検出する段階と、前記検出されたイベントを前記移動通信端末機の画面に表示されたタイムライン上に位置させる段階とを含むことを特徴とする。
【００１１】
また、本発明に係る移動通信端末機のイベント表示方法は、移動通信端末機内のイベントを検出する段階と、前記検出されたイベントを収集する段階と、前記収集されたイベントを前記移動通信端末機の画面に表示されたタイムライン上に位置させる段階とを含むことを特徴とする。
【００１２】
また、本発明に係る移動通信端末機のイベント表示方法は、移動通信端末機内のイベントを検出する段階と、前記検出されたイベントを収集する段階と、前記移動通信端末機の画面にタイムラインを表示し、前記収集されたイベントに対応するアイコンを前記タイムライン上に位置させる段階とを含み、ここで、前記タイムラインは、現在の時間帯を示す第１タイムラインと、過去の時間帯を示す第２タイムラインと、未来の時間帯を示す第３タイムラインとを含むことを特徴とする。
【００１３】
上記目的を達成するために、本発明は、例えば、以下の手段を提供する。
【００１４】
（項目１）
イベントを検出するイベント検出器と、
移動通信端末機の表示部にタイムラインを表示し、上記検出されたイベントを上記タイムライン上に位置させるイベント制御器と
を含むことを特徴とする移動通信端末機のイベント表示装置。
【００１５】
（項目２）
イベントを検出するイベント検出器と、
上記検出されたイベントを収集するイベント収集器と、
移動通信端末機の表示部にタイムラインを表示し、上記収集されたイベントを上記タイムライン上に位置させるイベント制御器と
を含むことを特徴とする移動通信端末機のイベント表示装置。
【００１６】
（項目３）
上記イベント制御器は、
上記収集されたイベントに対応するアイコンを上記表示部に表示することを特徴とする項目２に記載の移動通信端末機のイベント表示装置。
【００１７】
（項目４）
上記イベント制御器は、
上記アイコンを上記タイムライン上に位置させることを特徴とする項目３に記載の移動通信端末機のイベント表示装置。
【００１８】
（項目５）
上記イベント制御器は、
時間が経過するにつれて上記表示部に表示された各イベントの位置を変更することを特徴とする項目２に記載の移動通信端末機のイベント表示装置。
【００１９】
（項目６）
上記イベント制御器は、
時間が経過するにつれて上記表示部に表示された各アイコンの各サイズを変更することを特徴とする項目３に記載の移動通信端末機のイベント表示装置。
【００２０】
（項目７）
上記イベント制御器は、
上記収集されたイベントを円状のタイムライン上、チャート状のタイムライン上、又は渦巻状のタイムライン上に表示することを特徴とする項目２に記載の移動通信端末機のイベント表示装置。
【００２１】
（項目８）
上記円状のタイムラインは、
現在の時間帯を示す第１円のタイムラインと、過去の時間帯を示す第２円のタイムラインと、未来の時間帯を示す第３円のタイムラインとを含むことを特徴とする項目７に記載の移動通信端末機のイベント表示装置。
【００２２】
（項目９）
上記第１、第２、第３円のサイズは、相異なることを特徴とする項目８に記載の移動通信端末機のイベント表示装置。
【００２３】
（項目１０）
上記イベント制御器は、
使用者により上記タイムラインの特定時間が選択されたとき、上記特定時間に使用者が要求したイベントを設定することを特徴とする項目２に記載の移動通信端末機のイベント表示装置。
【００２４】
（項目１１）
上記イベント制御器は、
使用者により上記タイムライン上に表示された特定イベントが選択されたとき、上記使用者の要求により上記選択された特定イベントを実行／変更することを特徴とする項目２に記載の移動通信端末機のイベント表示装置。
【００２５】
（項目１２）
上記イベント制御器は、
使用者により上記タイムライン上に表示された特定イベントが選択されたとき、上記選択された特定イベントの詳細情報を表示することを特徴とする項目２に記載の移動通信端末機のイベント表示装置。
【００２６】
（項目１３）
移動通信端末機内のイベントを検出する段階と、
上記検出されたイベントを上記移動通信端末機の画面に表示されたタイムライン上に位置させる段階と
を含むことを特徴とする移動通信端末機のイベント表示方法。
【００２７】
（項目１４）
移動通信端末機内のイベントを検出する段階と、
上記検出されたイベントを収集する段階と、
上記収集されたイベントを上記移動通信端末機の画面に表示されたタイムライン上に位置させる段階と
を含むことを特徴とする移動通信端末機のイベント表示方法。
【００２８】
（項目１５）
上記収集されたイベントを上記タイムライン上に位置させる段階は、
上記イベントを示すアイコンを上記タイムライン上に位置させる段階であることを特徴とする項目１４に記載の移動通信端末機のイベント表示方法。
【００２９】
（項目１６）
上記アイコンの位置は、
時間が経過するにつれて変化することを特徴とする項目１５に記載の移動通信端末機のイベント表示方法。
【００３０】
（項目１７）
上記タイムラインは、
円状のタイムライン、チャート状のタイムライン、渦巻状のタイムラインのうちいずれか１つであることを特徴とする項目１４に記載の移動通信端末機のイベント表示方法。
【００３１】
（項目１８）
上記タイムラインは、
現在の時間帯を示す第１タイムラインと、過去の時間帯を示す第２タイムラインと、未来の時間帯を示す第３タイムラインとを含むことを特徴とする項目１４に記載の移動通信端末機のイベント表示方法。
【００３２】
（項目１９）
使用者により上記タイムラインの特定時間が選択されたとき、上記特定時間に使用者が要求したイベントを設定する段階をさらに含むことを特徴とする項目１４に記載の移動通信端末機のイベント表示方法。
【００３３】
（項目２０）
移動通信端末機内のイベントを検出するイベント検出器と、
上記検出されたイベントを収集するイベント収集器と、
上記移動通信端末機の表示部にタイムラインを表示し、上記収集されたイベントに対応するアイコンを上記タイムライン上に位置させるイベント制御器とを含み、
ここで、上記タイムラインは、現在の時間帯を示す第１タイムラインと、過去の時間帯を示す第２タイムラインと、未来の時間帯を示す第３タイムラインとを含むことを特徴とする移動通信端末機のイベント表示装置。
【００３４】
（項目２１）
上記イベント制御器は、
時間が経過するにつれて上記表示部に表示された各アイコンの各位置を変更することを特徴とする項目２０に記載の移動通信端末機のイベント表示装置。
【００３５】
（項目２２）
上記イベント制御器は、
上記収集されたイベントに対応するアイコンを円状のタイムライン上、チャート状のタイムライン上、又は渦巻状のタイムライン上に表示することを特徴とする項目２０に記載の移動通信端末機のイベント表示装置。
【００３６】
（項目２３）
上記イベント制御器は、
使用者により上記タイムラインの特定時間が選択されたとき、上記特定時間に使用者が要求したイベントを設定することを特徴とする項目２０に記載の移動通信端末機のイベント表示装置。
【００３７】
（項目２４）
移動通信端末機内のイベントを検出する段階と、
上記検出されたイベントを収集する段階と、
上記移動通信端末機の画面にタイムラインを表示し、上記収集されたイベントに対応するアイコンを上記タイムライン上に位置させる段階とを含み、
ここで、上記タイムラインは、現在の時間帯を示す第１タイムラインと、過去の時間帯を示す第２タイムラインと、未来の時間帯を示す第３タイムラインとを含むことを特徴とする移動通信端末機のイベント表示方法。
【００３８】
（項目２５）
上記表示部に表示された各アイコンの位置は、
時間が経過するにつれて変化することを特徴とする項目２４に記載の移動通信端末機のイベント表示方法。
【００３９】
（項目２６）
上記タイムラインは、
円状のタイムライン、チャート状のタイムライン、渦巻状のタイムラインのうちいずれか１つであることを特徴とする項目２４に記載の移動通信端末機のイベント表示方法。
【００４０】
（項目２７）
使用者により上記タイムラインの特定時間が選択されたとき、上記特定時間に使用者が要求したイベントを設定する段階をさらに含むことを特徴とする項目２４に記載の移動通信端末機のイベント表示方法。
【発明の効果】
【００４１】
本発明に係る移動通信端末機のイベント表示装置及びその方法は、移動通信端末機に分散されて記録された多様なイベントを収集し、前記収集されたイベントを時間を示すタイムライン上に表示することにより、イベントを容易に確認及び管理できるという効果がある。
【００４２】
また、本発明に係る移動通信端末機のイベント表示装置及びその方法は、移動通信端末機に分散されて記録された多様なイベントを収集し、前記収集されたイベントを過去時間、現在時間、未来時間を示すタイムライン上に表示することにより、過去、現在、未来のイベントを容易に確認及び管理できるという効果もある。
【発明を実施するための最良の形態】
【００４３】
以下、移動通信端末機に分散されて記録された多様なイベントを収集し、前記収集されたイベントを移動通信端末機の表示部に表示されたタイムライン上に位置させることにより、多様なイベントを容易に確認及び管理できる移動通信端末機のイベント表示装置及びその方法の好ましい実施形態を図１〜図５を参照して詳細に説明する。
【００４４】
図１は、本発明に係る移動通信端末機のイベント表示装置の実施形態の構成を示すブロック図である。
【００４５】
図１に示すように、本発明に係る移動通信端末機のイベント表示装置（ｅｖｅｎｔ  ｄｉｓｐｌａｙ  ａｐｐａｒａｔｕｓ）は、移動通信端末機から発生した多様なイベントを検出するイベント検出器１１と、前記検出されたイベントを収集するイベント収集器（ｅｖｅｎｔ  ｃｏｌｌｅｃｔｏｒ）１２と、予め設定されたタイムラインを前記移動通信端末機の表示部１４に表示し、前記収集されたイベントを前記タイムライン上に表示するイベント制御器１３とから構成される。ここで、前記イベントとは、携帯電話、携帯情報端末のような移動通信端末機から発生するイベントであり、通話の着信／発信、不在着信、メールの受信／送信、スケジュール／アラーム／モーニングコールなどを通知する動作のことである。
【００４６】
イベント制御器１３は、円状（Ｃｉｒｃｌｅ  Ｔｙｐｅ）のタイムライン、チャート状のタイムライン、又は渦巻（竜巻）状のタイムラインを表示部１４に表示する。また、イベント制御器１３は、イベント収集器１２により収集されたイベントを、前記円状のタイムライン上、前記チャート状のタイムライン上、又は前記渦巻（竜巻）状のタイムライン上に表示する。例えば、イベント制御器１３は、各イベントをアイコンで表示し、各アイコンをタイムライン上に表示することが好ましい。従って、前記イベントは、一連の時間順序を有する。
【００４７】
一方、イベント制御器１３は、時間が経過するにつれて表示部１４に表示されたイベントの各位置を変更する。例えば、イベント制御器１３は、今日が過ぎると、今日の時間帯を示すタイムライン上に表示されたイベントを昨日の時間帯を示すタイムライン上に位置させる。
【００４８】
以下、本発明に係る移動通信端末機のイベント表示装置の実施形態の動作を図２を参照して詳細に説明する。
【００４９】
図２は、本発明に係る移動通信端末機のイベント表示方法の実施形態を示すフローチャートである。
【００５０】
まず、イベント検出器１１は、前記移動通信端末機のモードがイベント表示モードに切り替えられると（Ｓ１１）、移動通信端末機から発生した多様なイベントを検出し、前記検出されたイベントをイベント収集器１２に出力する（Ｓ１２）。例えば、イベント検出器１１は、移動通信端末機から発生した通話の着信／発信イベント、不在着信イベント、メールの受信／送信イベント、スケジュール／アラーム／モーニングコール／タスク／Ｘデーなどのイベント、送信予約メールイベントを検出し、前記検出されたイベントをイベント収集器１２に出力する。
【００５１】
イベント収集器１２は、イベント検出器１１により検出されたイベントを収集し、その収集されたイベントをイベント制御器１３に出力する（Ｓ１３）。例えば、イベント収集器１２は、イベント検出器１１から出力される通話の着信／発信イベント、不在着信イベント、メール受信／送信イベント、スケジュール／アラーム／モーニングコール／タスク／Ｘデーなどのイベント、送信予約メールイベントを収集し、前記収集されたイベントをイベント制御器１３に出力する。
【００５２】
イベント制御器１３は、前記収集されたイベントを表示部１４に表示する。例えば、イベント制御器１３は、円状のタイムライン、チャート状のタイムライン、渦巻状のタイムラインのうち使用者がいずれか１つのタイムラインを選択すると（Ｓ１４）、前記選択されたタイムラインを表示部１４に表示し、前記表示されたタイムライン上に前記収集されたイベントを表示する（Ｓ１５）。
【００５３】
例えば、イベント制御器１３は、使用者が円状のタイムラインを選択すると、前記選択された円状のタイムラインを表示部１４に表示し、該表示部１４のに表示された円状のタイムライン上に前記収集されたイベントに対応するアイコンを位置させる。また、イベント制御器１３は、使用者がチャート状のタイムラインを選択すると、前記選択されたチャート状のタイムラインを表示部１４に表示し、該表示部１４上に表示されたチャート状のタイムライン上に前記収集されたイベントに対応するアイコンを位置させる。さらに、イベント制御器１３は、使用者が渦巻状のタイムラインを選択すると、前記選択された渦巻状のタイムラインを表示部１４に表示し、該表示部１４上に表示された渦巻状のタイムライン上に前記収集されたイベントに対応するアイコンを位置させる。
【００５４】
また、イベント制御器１３は、使用者がタイムライン上に位置した特定アイコンを選択すると、前記選択されたアイコンに対応するプログラムを実行する。前記アイコンに対応するプログラムを実行する過程は、従来技術と同様であるため、その詳細な説明は省略する。
【００５５】
一方、イベント制御器１３は、使用者が前記タイムラインにより特定時間を選択すると、該特定時間に使用者が要求するイベントを設定／登録する。例えば、イベント制御器１３は、使用者が円状のタイムライン上で午後５時を示すタイムラインを選択すると、多様なイベントが設定できる項目を表示部１４に表示する。ここで、使用者が前記項目のうちアラーム項目を選択すると、イベント制御器１３は、前記タイムラインにアラームを午後５時に自動で設定する。従って、使用者は、時間を設定する必要なく、特定時間に該当するタイムラインのみを選択することにより、容易にアラームを設定することができる。
【００５６】
また、イベント制御器１３は、使用者により前記タイムライン上に表示された特定イベントが選択されると、前記使用者の要求によって前記選択された特定イベントを実行／変更し、前記選択された特定イベントの詳細情報を表示部１４に表示する。
【００５７】
以下、本発明に係る移動通信端末機のイベント表示装置の実施形態を利用してイベントを円状のタイムライン上に表示する方法を図３を参照して詳細に説明する。
【００５８】
図３は、本発明に係る移動通信端末機のイベント表示装置の実施形態を利用して多様なイベントを円状のタイムライン上に表示する方法を示す図である。
【００５９】
図３に示すように、イベント制御器１３は、表示部１４に円状のタイムライン１０１を表示する。また、イベント制御器１３は、イベント収集器１２から出力される通話の着信／発信イベントを示すアイコン、不在着信イベントを示すアイコン、メールの受信／送信イベントを示すアイコン、スケジュール／アラーム／モーニングコール／タスク／Ｘデーなどのイベントを示すアイコン、送信予約メールイベントを示すアイコンを前記円状のタイムライン１０１上に表示する。
【００６０】
前記円状のタイムライン１０１は、実際の時間を示す多数の円から構成され、第１円のタイムラインは今日の午前の時間帯を示し、第２円のタイムラインは今日の午後の時間帯を示す、第３円のタイムラインは明日の午前の時間帯を示し、第４円のタイムラインは明日の午後の時間帯を示す。例えば、第１円のタイムラインの３時方向は実際に今日の午前３時を示し、第２円のタイムラインの３時方向は実際に今日の午後３時を示し、第３円のタイムラインの３時方向は実際に明日の午前３時を示し、第４円のタイムラインの３時方向は実際に明日の午後３時を示す。
【００６１】
ここで、前記第１円、第２円、第３円、第４円のサイズは、異なるように設定されることが好ましく、前記第１円、第２円、第３円、第４円の幅も必要によって異なるように設定できる。前記タイムラインは、今日の時間帯、未来の時間帯（例えば、明日）だけでなく過去の時間帯（例えば、昨日）を示すこともできる。
【００６２】
イベント制御器１３は、時間の経過に合わせてタイムライン上に現在の時間１０３を表示する。ここで、現在時間（今日）は、今日の時間帯を示す第１円のタイムライン及び第２円のタイムラインに表示されることが好ましい。また、イベント制御器１３は、時間が経過するにつれて表示部１４に表示されたイベント（アイコン）の各サイズを変更する。例えば、イベント制御器１３は、未来又は過去の時間帯のタイムライン上に位置したイベント（アイコン）のサイズより現在の時間帯又は今日の時間帯のタイムライン上に位置したイベント（アイコン）のサイズを大きくすることが好ましい。
【００６３】
また、イベント制御器１３は、未読メール、不在着信又はアラームなどのイベントが存在するとき、そのイベント（例えば、不在着信）に対応するアイコン１０２を点滅させることにより、前記イベント（例えば、不在着信）が存在するということを使用者に知らせ、使用者がアイコン１０２にカーソルを位置させると、ポップアップウィンドウにより要約情報１０６を表示部１４に表示し、使用者がアイコン１０２をクリックすると、詳細な情報を表示部１４に表示する。
【００６４】
さらに、イベント制御器１３は、現在カーソルが位置しているイベントの種類によって、使用者が「メニュー」を選択すると、メール送信、メール受信拒否、返信、メール削除などの多様な機能を提供する。
【００６５】
一方、イベント制御器１３は、使用者がキーパッド（図示せず）に設置された上下方向キー（図示せず）を選択すると、カーソル１０４を第１円のタイムラインから第２円のタイムラインに移動させる。従って、使用者は、上下方向キーを利用して所望する円のタイムラインを選択できる。また、イベント制御器１３は、使用者が前記キーパッドに設置された左右方向キー（図示せず）を選択すると、カーソル１０４を円状のタイムラインに沿って移動させる。従って、使用者は、左右方向キーを利用して所望する円のタイムライン上に位置したアイコンを選択することにより、特定イベントを容易に確認及び管理できる。
【００６６】
また、イベント制御器１３は、同一時間に同一種類のイベントが同一タイムライン上に重なると、前記重なったイベントの個数を表示部１４に表示することが好ましい。例えば、今日の午前８時に同一種類のイベントが３つ発生したと仮定すると、その３つのイベントに対応するアイコンを表示部１４に表示するとき、イベント制御器１３は、前記３つのイベントを示すアイコンのうち１つのアイコン１０７を表示部１４に表示し、その１つのアイコン１０７に数字３を表示する。
【００６７】
さらに、イベント制御器１３は、異なる種類のイベントが同一時間に発生すると仮定すると、優先順位に従って１つのアイコン１０５のみを該当タイムライン上に表示し、残りのアイコンは、前記１つのアイコン１０５に重なるように表示することが好ましい。また、イベント制御器１３は、特定タイムライン上に多数のイベントに対応する多数のアイコンが位置するとき、使用者に警告するためにその特定タイムラインの色を警告の色（例えば、赤色）で表示することが好ましい。
【００６８】
図４は、本発明に係る移動通信端末機のイベント表示装置の実施形態を利用してイベントをチャート状のタイムライン上に表示する方法を示す図である。
【００６９】
図４に示すように、イベント制御器１３は、イベント収集器１２により収集されたイベントのアイコンをチャート状のタイムライン上に表示する。ここで、使用者は、スクロール（ｓｃｒｏｌｌ）１１１を利用して前記チャート状のタイムライン上に位置したアイコンを確認及び管理できる。前記チャート状のタイムラインの機能は、前記円状のタイムラインの機能と同一であるので、これに関する詳細な説明は省略する。
【００７０】
図５は、本発明に係る移動通信端末機の表示装置の実施形態を利用してイベントを渦巻状のタイムライン上に表示する方法を示す図である。
【００７１】
図５に示すように、イベント制御器１３は、イベント収集器１２により収集されたイベントのアイコンを渦巻状のタイムライン上に表示する。従って、使用者は、渦巻状のタイムラインに位置したアイコンによりイベントを確認及び管理できる。ここで、イベント制御器１３は、使用者が前記収集されたイベントを容易に確認及び管理できるように、拡大（ｚｏｏｍ  ｉｎ）／縮小（ｚｏｏｍ  ｏｕｔ）機能を提供することが好ましい。前記渦巻状のタイムラインの機能は、前記円状のタイムラインの機能と同一であるので、これに関する詳細な説明は省略する。
【００７２】
一方、前記円状のタイムライン、チャート状のタイムライン、渦巻状のタイムラインに基づいて多様な形態のタイムラインが表示部１４に表示できる。また、イベント検出器１１により検出されたイベントは、イベント収集器１２を経ずに直接前記タイムライン上に表示することもできる。例えば、イベント制御器１３は、イベント検出器１１により検出されたイベントを表示部１４に表示されたタイムライン上に表示する。
【００７３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００７４】
移動通信端末機に分散して記録された多様なイベントを収集し、前記収集されたイベントをタイムライン上に表示することにより、イベントを容易に確認及び管理できる移動通信端末機のイベント表示装置及びその方法を提供することにある。
【００７５】
移動通信端末機のイベント表示装置は、移動通信端末機内のイベントを検出するイベント検出器と、移動通信端末機の表示部にタイムラインを表示し、前記検出されたイベントを前記タイムライン上に位置させるイベント制御器とから構成される。
【図面の簡単な説明】
【００７６】
【図１】本発明に係る移動通信端末機のイベント表示装置の実施形態の構成を示すブロック図である。
【図２】本発明に係る移動通信端末機のイベント表示方法の実施形態を示すフローチャートである。
【図３】本発明に係る移動通信端末機のイベント表示装置の実施形態を利用してイベントを円状のタイムライン上に表示する方法を示す図である。
【図４】本発明に係る移動通信端末機のイベント表示装置の実施形態を利用してイベントをチャート状のタイムライン上に表示する方法を示す図である。
【図５】本発明に係る移動通信端末機のイベント表示装置の実施形態を利用してイベントを渦巻状のタイムライン上に表示する方法を示す図である。
【符号の説明】
【００７７】
１１：  イベント検出器
１２：  イベント収集器
１３：  イベント制御器
１４：  表示部
【図１】
2007082190.tif 000003
【図２】
2007082190.tif 000004
【図３】
2007082190.tif 000005
【図４】
2007082190.tif 000006
【図５】
2007082190.tif 000007